(57)【要約】【課題】  移動通信システムにおいて、各セル毎に設定された周辺セルの情報の最適化を効率的に行う。【解決手段】  各セル毎に、ハンドオーバー先の候補となる各周辺セルと、各周辺セルの優先順位と、を最適化するのに用いられるセル設定情報最適化システム１００である。ハンドオーバーを実行する度に移動通信端末装置７０から通知されるハンドオーバー元及びハンドオーバー先のセルを特定するための情報を収集する情報収集手段１２３を備える。情報収集手段１２３により収集される情報を集計することによって、各セルについて設定された複数の周辺セルの各々の、ハンドオーバー先のセルとして使用された頻度を示す情報を生成する使用頻度情報生成手段２３１を備える。【選択図】    図２
2006270207.tif 000002
【特許請求の範囲】
【請求項１】
一のセルについて、
前記一のセルをハンドオーバー元のセルとした場合のハンドオーバー先の候補となる各周辺セルをそれぞれ特定するための情報と、
前記一のセルに対する各周辺セルのそれぞれの優先順位を示す情報と、
が設定される移動通信システムにおいて、該設定される情報を最適化するのに用いられるセル設定情報最適化システムであって、
ハンドオーバーを実行する度に移動通信端末装置から通知されるハンドオーバー元及びハンドオーバー先のセルを特定するための情報を収集する情報収集手段と、
前記情報収集手段により収集される情報を集計することによって、各セルについて設定された複数の周辺セルの各々の、ハンドオーバー先のセルとして使用された頻度を示す情報を生成する使用頻度情報生成手段と、
を備えることを特徴とするセル設定情報最適化システム。
【請求項２】
前記頻度情報生成手段により生成される情報を表示する表示手段を更に備えることを特徴とする請求項１に記載のセル設定情報最適化システム。
【請求項３】
各セルについて設定された複数の周辺セルを、前記頻度情報生成手段により生成された情報に基づいて使用頻度順に並び替えることにより、設定される情報の改善案を生成する改善案生成手段を備えることを特徴とする請求項１に記載のセル設定情報最適化システム。
【請求項４】
前記頻度情報生成手段及び前記改善案生成手段により生成される情報を表示する表示手段を更に備えることを特徴とする請求項３に記載のセル設定情報最適化システム。
【請求項５】
前記表示手段は、前記改善案生成手段により生成された改善案の情報と、該改善案と対応するセルについて現在設定されている周辺セルの優先順位を示す情報と、を同時に表示することを特徴とする請求項４に記載のセル設定情報最適化システム。
【請求項６】
各セルについて設定された複数の周辺セルのうちの何れかのセルを、ハンドオーバー先の候補から削除する削除手段を備えることを特徴とする請求項１乃至５の何れか一項に記載のセル設定情報最適化システム。
【請求項７】
各セルについて設定された複数の周辺セルの優先順位を変更する優先順位変更手段を備えることを特徴とする請求項１乃至６の何れか一項に記載のセル設定情報最適化システム。
【請求項８】
前記移動通信システムは、無線ネットワーク制御局と、該無線ネットワーク制御局に対して情報を設定する情報設定装置と、を備えて構成され、
前記情報収集手段は、前記無線ネットワーク制御局に備えられている一方で、
前記頻度情報生成手段は、前記情報設定装置に備えられていることを特徴とする請求項１乃至７の何れか一項に記載のセル設定情報最適化システム。
【請求項９】
前記移動通信システムは、無線ネットワーク制御局と、該無線ネットワーク制御局に対して情報を設定する情報設定装置と、を備えて構成され、
前記情報収集手段は、前記無線ネットワーク制御局に備えられている一方で、
前記頻度情報生成手段及び前記表示手段は、前記情報設定装置に備えられていることを特徴とする請求項２、４又は５に記載のセル設定情報最適化システム。
【請求項１０】
前記無線ネットワーク制御局は、前記情報収集手段により収集される情報を、所定時間毎に、前記保守端末装置に対して通知する通知手段を更に備えることを特徴とする請求項８又は９に記載のセル設定情報最適化システム。
【請求項１１】
前記情報収集手段は、同一の無線通信方式のセル間でのハンドオーバーのみを対象として情報を収集することを特徴とする請求項１乃至１０の何れか一項に記載のセル設定情報最適化システム。
【請求項１２】
前記情報収集手段は、同一の無線通信方式のセル間でのハンドオーバーに加え、相互に異なる無線通信方式のセル間でのハンドオーバーも対象として情報を収集することを特徴とする請求項１乃至１０の何れか一項に記載のセル設定情報最適化システム。
【請求項１３】
一のセルについて、
前記一のセルをハンドオーバー元のセルとした場合のハンドオーバー先の候補となる各周辺セルをそれぞれ特定するための情報と、
前記一のセルに対する各周辺セルのそれぞれの優先順位を示す情報と、
が設定される移動通信システムにおいて、該設定される情報を最適化するための方法であって、
ハンドオーバーを実行する度に移動通信端末装置から通知されるハンドオーバー元及びハンドオーバー先のセルを特定するための情報を収集する情報収集過程と、
前記情報収集過程により収集される情報を集計することによって、各セルについて設定された複数の周辺セルの各々の、ハンドオーバー先のセルとして使用された頻度を示す情報を生成する使用頻度情報生成過程と、
を備えることを特徴とするセル設定情報最適化方法。
【請求項１４】
前記頻度情報生成過程により生成される情報を表示する表示過程を更に備えることを特徴とする請求項１３に記載のセル設定情報最適化方法。
【請求項１５】
各セルについて設定された複数の周辺セルを、前記頻度情報生成過程により生成された情報に基づいて使用頻度順に並び替えることにより、設定される情報の改善案を生成する改善案生成過程を備えることを特徴とする請求項１３に記載のセル設定情報最適化方法。
【請求項１６】
前記頻度情報生成過程及び前記改善案生成過程により生成される情報を表示する表示過程を更に備えることを特徴とする請求項１５に記載のセル設定情報最適化方法。
【請求項１７】
前記表示過程では、前記改善案生成過程により生成された改善案の情報と、該改善案と対応するセルについて現在設定されている周辺セルの優先順位を示す情報と、を同時に表示することを特徴とする請求項１６に記載のセル設定情報最適化方法。
【請求項１８】
各セルについて設定された複数の周辺セルのうちの何れかのセルを、ハンドオーバー先の候補から削除する削除過程を備えることを特徴とする請求項１３乃至１７の何れか一項に記載のセル設定情報最適化方法。
【請求項１９】
各セルについて設定された複数の周辺セルの優先順位を変更する優先順位変更手段を備えることを特徴とする請求項１３乃至１８の何れか一項に記載のセル設定情報最適化方法。
【請求項２０】
前記移動通信システムは、無線ネットワーク制御局と、該無線ネットワーク制御局に対して情報を設定する情報設定装置と、を備えて構成され、
前記情報収集過程は、前記無線ネットワーク制御局が行う一方で、
前記頻度情報生成過程は、前記情報設定装置が行うことを特徴とする請求項１３乃至１９の何れか一項に記載のセル設定情報最適化方法。
【請求項２１】
前記移動通信システムは、無線ネットワーク制御局と、該無線ネットワーク制御局に対して情報を設定する情報設定装置と、を備えて構成され、
前記情報収集過程は、前記無線ネットワーク制御局が行う一方で、
前記頻度情報生成過程及び前記表示過程は、前記情報設定装置が行うことを特徴とする請求項１４、１６又は１７に記載のセル設定情報最適化方法。
【請求項２２】
前記無線ネットワーク制御局が、前記情報収集過程により収集される情報を、所定時間毎に、前記保守端末装置に対して通知する通知過程を更に備えることを特徴とする請求項２０又は２１に記載のセル設定情報最適化方法。
【請求項２３】
前記情報収集過程では、同一の無線通信方式のセル間でのハンドオーバーのみを対象として情報を収集することを特徴とする請求項１３乃至２２の何れか一項に記載のセル設定情報最適化方法。
【請求項２４】
前記情報収集過程では、同一の無線通信方式のセル間でのハンドオーバーに加え、相互に異なる無線通信方式のセル間でのハンドオーバーも対象として情報を収集することを特徴とする請求項１３乃至２２の何れか一項に記載のセル設定情報最適化方法。
【請求項２５】
請求項１３乃至２４の何れか一項に記載のセル設定情報最適化方法をコンピュータに実行させるためのプログラム。
【請求項２６】
請求項２０乃至２２の何れか一項に記載のセル設定情報最適化方法における前記無線ネットワーク制御局が担う動作をコンピュータに実行させるためのプログラム。
【請求項２７】
請求項２０乃至２２の何れか一項に記載のセル設定情報最適化方法における前記情報設定装置が担う動作をコンピュータに実行させるためのプログラム。
【発明の詳細な説明】
【技術分野】
【０００１】
本発明は、移動通信システムにおいて各セル毎に設定された周辺セルに関する情報の最適化に用いられるセル設定情報最適化システム、セル設定情報最適化方法及びそのプログラムに関する。
【背景技術】
【０００２】
例えば携帯電話機やＰＨＳ（Ｐｅｒｓｏｎａｌ  Ｈａｎｄｙ−ｐｈｏｎｅ  Ｓｙｓｔｅｍ）といった移動通信端末装置が、移動しながらも通信を継続するためには、通信接続するセルを移動の過程で切り替える（ハンドオーバーする）必要がある（例えば、特許文献１参照）。
【０００３】
移動通信端末装置によるハンドオーバー処理は、例えば、呼接続時に無線ネットワーク制御局（ＲＮＣ：Ｒａｄｉｏ  Ｎｅｔｗｏｒｋ  Ｃｏｎｔｒｏｌｌｅｒ）から通知された周辺セル情報によって指定された周辺セルから送信される無線信号の受信品質を計測し、移動の過程でその受信品質が所定の閾値よりも高くなると、当該周辺セルを無線ネットワーク制御局に通知し、当該周辺セルとの接続を追加することにより行う。
【０００４】
従って、ハンドオーバーに必要な周辺セルと対応する周辺セル情報が無線ネットワーク制御局に設定されていない場合は、移動通信端末装置はその周辺セルの受信品質を計測することができず、ハンドオーバー処理が開始されない。
【０００５】
このため、移動通信端末装置が最初に呼接続したセルから離れることにより、該セルからの受信品質が低下すると、通話が切断されてしまう。すなわち、いわゆる呼損が発生する。
【０００６】
従来は、ハンドオーバー先の候補として設定された周辺セルの数（設定数）の不足による呼損を避けるため、ある程度地理的に広い範囲内のセルまで含めた多数の周辺セルの周辺セル情報を無線ネットワーク制御局に初期設定した状態で、移動通信端末装置を移動させる走行試験を実施し、この走行試験にて実際にハンドオーバー先として使用された周辺セルからの受信品質の測定データに基づいて、ハンドオーバー先として設定すべき周辺セルの最適化（セルの削除、追加或いは優先順位の変更）を行っていた。
【０００７】
このように多数の周辺セルが無線ネットワーク制御局に設定されている場合、移動通信端末装置は各々の周辺セルからの受信品質を、同時測定ではなく周辺セル毎に順番に測定するため、ハンドオーバー処理が開始されるまでの品質測定時間が周辺セル数に比例して長くなる。
【０００８】
このため、セル間の移動で無線環境が急激に変化する場合は、ハンドオーバー前に接続していたセル（ハンドオーバー元のセル）からの受信品質が急激に低下する一方、ハンドオーバー処理の開始に時間がかかり、受信品質の良くなった周辺セル（ハンドオーバー先とすべき周辺セル）への接続が間に合わず、呼損が発生するという問題点があった。
【０００９】
しかし、当初設定された周辺セルの中から、何れかの周辺セルを削除した場合に、そのセル周辺のどの走行ルートでも呼損が発生しないことを裏付けるためには、相当な回数および広範囲の走行データ取得と解析作業が必要である。
【００１０】
このため、従来は、設定可能な周辺セルの最大数の制限によりやむをえない場合や、重要な走行ルートにおける呼損の要因となる周辺セルの存在が判明した場合のみ、周辺セルの削除が行われており、その他の場合には周辺セル削減による呼損の改善が困難であった。
【００１１】
また、移動通信端末装置が受信品質を測定できる周辺セル数には制限があるため、特にセルが密集しており、同時に複数のセルと接続するハンドオーバー状態が頻繁に起こるような環境下では、各セルについて、それぞれ多数の周辺セルを無線ネットワーク制御局に設定していたとしても、その多数の周辺セルの中から、優先順位の高い順に、移動通信端末装置の周辺セル制限数だけしか、無線ネットワーク制御局から移動通信端末装置に周辺セル情報が通知されないので、移動通信端末装置はその制限数の周辺セルからの受信品質だけを測定する。
【００１２】
このため、優先順位が低く設定された周辺セルの受信品質が高い場合でも、移動通信端末装置は該周辺セルの受信品質を測定しないため、優先順位が低く設定された周辺セルに移動通信端末装置が近づいた場合はハンドオーバーが起動されず、呼損が発生するという問題点があった。
【００１３】
しかし従来は、無線基地局（ＮｏｄｅＢ）の追加工事の際、追加する周辺セルの優先順位を当初から決定するのが困難なため、追加する周辺セルの優先順位を最低順位としておき、走行試験で呼損が発生した場合に、その都度周辺セル優先順位の変更を繰り返していた。
【００１４】
図９は、上記のような周辺セルの設定情報の最適化に用いられる従来のセル設定情報最適化システム１０００を含む移動通信システム１５００を示すブロック図である。
【００１５】
図９に示すように、移動通信システム１５００は、セル設定情報最適化システム１０００と、このセル設定情報最適化システム１０００に対してそれぞれ接続されたコアネットワーク１００７及び無線基地局１００８，１００９を備えて構成されている。
【００１６】
図９に示すように、セル設定情報最適化システム１０００は、無線ネットワーク制御局（ＲＮＣ）１００１と、オペレータによる保守作業（周辺セルの設定情報の最適化作業を含む）に用いられる保守端末装置１００２と、を備えて構成されている。
【００１７】
このうち無線ネットワーク制御局１００１は、図９に示すように、ＡＴＭ交換機（ＡＴＭ：Ａｓｙｎｃｈｒｏｎｏｕｓ Ｔｒａｎｓｆｅｒ Ｍｏｄｅ（非同期転送モード））１００３と、制御装置１００４と、セル設定保存装置１００６と、を備えて構成されている。
【００１８】
ＡＴＭ交換機１００３は、コアネットワーク（ＣＮ：Ｃｏｒｅ  Ｎｅｔｗｏｒｋ）１００７、第１の無線基地局１００８及び第２の無線基地局１００９と相互に接続されている。
【００１９】
このＡＴＭ交換機１００３は、制御装置１００４の制御下で呼接続要求などの制御信号を処理することにより、移動通信端末装置どうしの呼を接続したり、或いは、移動通信端末装置と公衆網と間で呼を接続したりする。
【００２０】
また、制御装置１００５は、移動通信端末装置（図示略）が、第１の無線基地局１００８により形成された第１のセル（図示略）内と、第２の無線基地局１００９により形成された第２のセル（図示略）内との間で移動しながらも通信を継続（ハンドオーバー）することを可能とするために、第１及び第２の無線基地局１００８，１００９の双方とＡＴＭ交換機１００３との間での回線接続を確保する制御を行う。
【００２１】
保守端末装置１００２は、無線ネットワーク制御局１００１に接続されている。
【００２２】
この保守端末装置１００２は、無線ネットワーク制御局１００１内のトラフィックデータ（通信量を示すデータ）を表示し、この表示を確認したオペレータによる操作に従い、無線ネットワーク制御局１００１内のセル設定を変更する。すなわち、セル設定保存装置１００６内に設定変更後のデータを保存させることにより、周辺セルの最適化を行う。
【特許文献１】特開２００２−１３５８２３号公報
【発明の開示】
【発明が解決しようとする課題】
【００２３】
しかしながら、図９に示すような従来のセル設定情報最適化システム１０００の無線ネットワーク制御局１００１では、保守端末装置１０２により登録された移動通信端末装置を用いた走行試験の際にハンドオーバーに使用した周辺セルのデータしか収集することができない。
【００２４】
このため、従来のセル設定情報最適化システム１０００では、使用実績の無い周辺セルの削除や、使用頻度の高い周辺セルの優先順位変更による周辺セルの最適化を効率的に行うことができない。
【００２５】
本発明は、上記のような問題点を解決するためになされたもので、各セル毎に設定された周辺セルの情報の最適化を効率的に行うことが可能なセル設定情報最適化システム、セル設定情報最適化方法及びプログラムを提供することを目的とする。
【課題を解決するための手段】
【００２６】
上記課題を解決するため、本発明のセル設定情報最適化システムは、一のセルについて、前記一のセルをハンドオーバー元のセルとした場合のハンドオーバー先の候補となる各周辺セルをそれぞれ特定するための情報と、前記一のセルに対する各周辺セルのそれぞれの優先順位を示す情報と、が設定される移動通信システムにおいて、該設定される情報を最適化するのに用いられるセル設定情報最適化システムであって、ハンドオーバーを実行する度に移動通信端末装置から通知されるハンドオーバー元及びハンドオーバー先のセルを特定するための情報を収集する情報収集手段と、前記情報収集手段により収集される情報を集計することによって、各セルについて設定された複数の周辺セルの各々の、ハンドオーバー先のセルとして使用された頻度を示す情報を生成する使用頻度情報生成手段と、を備えることを特徴としている。
【００２７】
本発明のセル設定情報最適化システムにおいては、前記頻度情報生成手段により生成される情報を表示する表示手段を更に備えることが好ましい。
【００２８】
本発明のセル設定情報最適化システムにおいては、各セルについて設定された複数の周辺セルを、前記頻度情報生成手段により生成された情報に基づいて使用頻度順に並び替えることにより、設定される情報の改善案を生成する改善案生成手段を備えることが好ましい。
【００２９】
本発明のセル設定情報最適化システムにおいては、前記頻度情報生成手段及び前記改善案生成手段により生成される情報を表示する表示手段を更に備えることが好ましい。
【００３０】
本発明のセル設定情報最適化システムにおいては、前記表示手段は、前記改善案生成手段により生成された改善案の情報と、該改善案と対応するセルについて現在設定されている周辺セルの優先順位を示す情報と、を同時に表示することが好ましい。
【００３１】
本発明のセル設定情報最適化システムにおいては、各セルについて設定された複数の周辺セルのうちの何れかのセルを、ハンドオーバー先の候補から削除する削除手段を備えることが好ましい。
【００３２】
本発明のセル設定情報最適化システムにおいては、各セルについて設定された複数の周辺セルの優先順位を変更する優先順位変更手段を備えることが好ましい。
【００３３】
本発明のセル設定情報最適化システムにおいては、前記移動通信システムは、無線ネットワーク制御局と、該無線ネットワーク制御局に対して情報を設定する情報設定装置と、を備えて構成され、前記情報収集手段は、前記無線ネットワーク制御局に備えられている一方で、前記頻度情報生成手段は、前記情報設定装置に備えられていることが好ましい。
【００３４】
更に、本発明のセル設定情報最適化システムにおいては、前記移動通信システムは、無線ネットワーク制御局と、該無線ネットワーク制御局に対して情報を設定する情報設定装置と、を備えて構成され、前記情報収集手段は、前記無線ネットワーク制御局に備えられている一方で、前記頻度情報生成手段及び前記表示手段は、前記情報設定装置に備えられていることが好ましい。
【００３５】
本発明のセル設定情報最適化システムにおいては、前記無線ネットワーク制御局は、前記情報収集手段により収集される情報を、所定時間毎に、前記保守端末装置に対して通知する通知手段を更に備えることが好ましい。
【００３６】
本発明のセル設定情報最適化システムにおいては、前記情報収集手段は、同一の無線通信方式のセル間でのハンドオーバーのみを対象として情報を収集することを好ましい一例とする。
【００３７】
或いは、本発明のセル設定情報最適化システムにおいては、前記情報収集手段は、同一の無線通信方式のセル間でのハンドオーバーに加え、相互に異なる無線通信方式のセル間でのハンドオーバーも対象として情報を収集することも好ましい。
【００３８】
本発明のセル設定情報最適化方法は、一のセルについて、前記一のセルをハンドオーバー元のセルとした場合のハンドオーバー先の候補となる各周辺セルをそれぞれ特定するための情報と、前記一のセルに対する各周辺セルのそれぞれの優先順位を示す情報と、が設定される移動通信システムにおいて、該設定される情報を最適化するための方法であって、ハンドオーバーを実行する度に移動通信端末装置から通知されるハンドオーバー元及びハンドオーバー先のセルを特定するための情報を収集する情報収集過程と、前記情報収集過程により収集される情報を集計することによって、各セルについて設定された複数の周辺セルの各々の、ハンドオーバー先のセルとして使用された頻度を示す情報を生成する使用頻度情報生成過程と、を備えることを特徴としている。
【００３９】
本発明のセル設定情報最適化方法においては、前記頻度情報生成過程により生成される情報を表示する表示過程を更に備えることが好ましい。
【００４０】
本発明のセル設定情報最適化方法においては、各セルについて設定された複数の周辺セルを、前記頻度情報生成過程により生成された情報に基づいて使用頻度順に並び替えることにより、設定される情報の改善案を生成する改善案生成過程を備えることが好ましい。
【００４１】
本発明のセル設定情報最適化方法においては、前記頻度情報生成過程及び前記改善案生成過程により生成される情報を表示する表示過程を更に備えることが好ましい。
【００４２】
本発明のセル設定情報最適化方法においては、前記表示過程では、前記改善案生成過程により生成された改善案の情報と、該改善案と対応するセルについて現在設定されている周辺セルの優先順位を示す情報と、を同時に表示することが好ましい。
【００４３】
本発明のセル設定情報最適化方法においては、各セルについて設定された複数の周辺セルのうちの何れかのセルを、ハンドオーバー先の候補から削除する削除過程を備えることが好ましい。
【００４４】
本発明のセル設定情報最適化方法においては、各セルについて設定された複数の周辺セルの優先順位を変更する優先順位変更手段を備えることが好ましい。
【００４５】
本発明のセル設定情報最適化方法においては、前記移動通信システムは、無線ネットワーク制御局と、該無線ネットワーク制御局に対して情報を設定する情報設定装置と、を備えて構成され、前記情報収集過程は、前記無線ネットワーク制御局が行う一方で、前記頻度情報生成過程は、前記情報設定装置が行うことが好ましい。
【００４６】
更に、本発明のセル設定情報最適化方法においては、前記移動通信システムは、無線ネットワーク制御局と、該無線ネットワーク制御局に対して情報を設定する情報設定装置と、を備えて構成され、前記情報収集過程は、前記無線ネットワーク制御局が行う一方で、前記頻度情報生成過程及び前記表示過程は、前記情報設定装置が行うことがより好ましい。
【００４７】
本発明のセル設定情報最適化方法においては、前記無線ネットワーク制御局が、前記情報収集過程により収集される情報を、所定時間毎に、前記保守端末装置に対して通知する通知過程を更に備えることが好ましい。
【００４８】
本発明のセル設定情報最適化方法においては、前記情報収集過程では、同一の無線通信方式のセル間でのハンドオーバーのみを対象として情報を収集することが好ましい。
【００４９】
本発明のセル設定情報最適化方法においては、前記情報収集過程では、同一の無線通信方式のセル間でのハンドオーバーに加え、相互に異なる無線通信方式のセル間でのハンドオーバーも対象として情報を収集することが好ましい。
【００５０】
本発明のプログラムは、本発明のセル設定情報最適化方法をコンピュータに実行させるためのプログラムであることを特徴としている。
【００５１】
また、本発明のプログラムは、本発明のセル設定情報最適化方法における前記無線ネットワーク制御局が担う動作をコンピュータに実行させるためのプログラムであることを特徴としている。
【００５２】
本発明のプログラムは、本発明のセル設定情報最適化方法における前記情報設定装置が担う動作をコンピュータに実行させるためのプログラムであることを特徴としている。
【発明の効果】
【００５３】
本発明によれば、ハンドオーバーを実行する度に移動通信端末装置から通知されるハンドオーバー元及びハンドオーバー先のセルを特定するための情報を収集し、該収集される情報を集計することによって、各セルについて設定された複数の周辺セルの各々の、ハンドオーバー先のセルとして使用された頻度を示す情報を生成するので、このように生成される情報を用いることにより、例えば、使用実績の無い（或いは少ない）周辺セルをハンドオーバー先の候補から削除したり、或いは、周辺セルの優先順位を変更したりするといった、セル設定情報最適化作業を行うことができ、呼損の頻度を効率的に低減させることができる。
【００５４】
つまり、オペレータが全てのセル範囲で走行試験及びデータ解析作業を行わなくとも、呼損の頻度を低減させるためのセル設定情報最適化作業を好適に行うことができるので、複雑なセル設定情報最適化作業を効率化することができる。
【発明を実施するための最良の形態】
【００５５】
以下、図面を参照して、本発明に係る実施形態について説明する。
【００５６】
〔第１の実施形態〕
図１は第１の実施形態に係るセル設定情報最適化システム１００を含む移動通信システム１５０を示すブロック図である。
【００５７】
図１に示すように、移動通信システム１５０は、無線ネットワーク制御局（ＲＮＣ：Ｒａｄｉｏ  Ｎｅｔｗｏｒｋ  Ｃｏｎｔｒｏｌｌｅｒ）１０及び保守端末装置２０を備えて構成されたセル設定情報最適化システム１００と、このセル設定情報最適化システム１００の無線ネットワーク制御局１０に接続されたコアネットワーク（ＣＮ：Ｃｏｒｅ  Ｎｅｔｗｏｒｋ）３０と、このコアネットワーク３０を介して無線ネットワーク制御局１０に接続された公衆網４０と、無線ネットワーク制御局１０に接続された第１及び第２の無線基地局（ＮｏｄｅＢ）５０，６０と、を備えて構成されている。
【００５８】
無線ネットワーク制御局１０は、第１及び第２の無線基地局５０，６０との間、並びに、コアネットワーク３０との間で、呼処理用の制御データと、通信データと、を伝送する。
【００５９】
また、無線ネットワーク制御局１０は、保守端末装置２０により設定された設定値（各セル毎の周辺セル情報（後述する周辺セルリストからなる）を含む）を使用して、ハンドオーバー、電力制御、呼受付制御及び輻輳制御などの無線リソース制御（セル設定情報の最適化を含む）を行う。
【００６０】
保守端末装置２０は、オペレータによる保守作業に用いられる。
【００６１】
第１の無線基地局５０は、サービスエリア（無線信号が届く範囲）としての第１及び第２のセル５１，５２を形成し、同様に、第２の無線基地局６０は、サービスエリアとしての第３及び第４のセル６１，６２を形成する。
【００６２】
なお、図１では、簡単のため、第１及び第２の無線基地局５０，６０が、それぞれ２つずつのセルを形成している例を示しているが、１つの無線基地局が形成するセルの数は任意である。また、図１では、簡単のため、無線基地局として、２つの無線基地局５０，６０のみを図示しているが、無線基地局の数も任意である。
【００６３】
図１には、他に、第１及び第２の無線基地局５０、６０により形成されたセル間を移動（ハンドオーバー）しながら通信している移動通信端末装置７０（例えば、携帯電話機）を図示している。
【００６４】
図２はセル設定情報最適化システム１００の詳細な構成を示すブロック図である。なお、図２には、セル設定情報最適化システム１００の無線ネットワーク制御局１０及び保守端末装置２０の他に、コアネットワーク３０、第１及び第２の無線基地局５０，６０を図示している。
【００６５】
図２に示すように、無線ネットワーク制御局１０は、ＡＴＭ交換機（ＡＴＭ：Ａｓｙｎｃｈｒｏｎｏｕｓ Ｔｒａｎｓｆｅｒ Ｍｏｄｅ（非同期転送モード））１１と、制御装置１２と、セル設定保存装置１４と、データ蓄積装置１５と、を備えて構成されている。
【００６６】
このうち制御装置１２は、呼処理制御手段１２１と、ハンドオーバー制御手段１２２と、情報収集手段１２３と、通知手段１２４と、設定更新手段１２５と、を備えて構成されている。
【００６７】
なお、無線ネットワーク制御局１０の制御装置１２は、例えば、各種の制御動作を行うＣＰＵと、このＣＰＵの制御用プログラム（プログラム）を記憶保持したＲＯＭと、ＣＰＵの作業領域などとして機能するＲＡＭと、を備えて構成され、そのＲＯＭに記憶されたプログラムに従って動作することにより、上記の各手段１２１、１２２、１２３、１２４、１２５として機能する。
【００６８】
ＡＴＭ交換機１１は、コアネットワーク３０、第１の無線基地局５０及び第２の無線基地局６０と相互に接続されている。
【００６９】
このＡＴＭ交換機１１は、制御装置１２の（呼処理制御手段１２１の）制御下で、呼接続要求などの制御信号を処理することにより、移動通信端末装置どうしの呼を接続したり、或いは、移動通信端末装置と公衆網との間の呼を接続したりする。
【００７０】
制御装置１２のハンドオーバー制御手段１２２は、移動通信端末装置７０（図１）が、第１の無線基地局５０により形成されたセル（第１のセル５１又は第２のセル５２）内と、第２の無線基地局６０により形成されたセル（第３のセル６１又は第３のセル６２）内との間で移動しながらも通信を継続（ハンドオーバー）することを可能とするために、第１及び第２の無線基地局５０，６０の双方と無線ネットワーク制御局１０（のＡＴＭ交換機１１）との間での回線接続を確保する制御を行う。
【００７１】
セル設定保存装置１４は、保守端末装置２０により設定されたセル設定情報（周辺セル情報（後述する周辺セルリストからなる）を含む）を、制御装置１２の設定更新手段１２５の制御下で保存（記憶保持）する。
【００７２】
データ蓄積装置１５は、制御装置１２の情報収集手段１２３により収集される情報を、該情報収集手段１２３の制御下で記憶保持し、蓄積する。
【００７３】
ここで、情報収集手段１２３が収集する情報には、移動通信端末装置７０によるデータの通信量を示すデータ（トラフィックデータ）の他に、移動通信端末装置７０がハンドオーバーを実行する度に該移動通信端末装置７０から通知されるハンドオーバー元及びハンドオーバー先のセルを特定するための情報（詳細後述）が含まれる。
【００７４】
なお、第１の実施形態の場合、情報収集手段１２３は、同一の無線通信方式の（例えば、第三世代の）セル間でのハンドオーバーが行われた場合のみを対象として、情報を収集する。
【００７５】
制御装置１２の通知手段１２４は、データ蓄積装置１５に蓄積されたデータを、所定時間毎に（例えば、定期的に）保守端末装置２０に対して通知（送信）する。
【００７６】
また、保守端末装置２０は、図２に示すように、オペレータにより無線ネットワーク制御局１０のセル設定保存装置１４に記憶保持されたセル設定情報（ＲＮＣ設定値（後述する周辺セルリストからなる））の変更操作などを行うための操作部２１と、各種の情報の表示動作を行う表示部（表示手段）２２と、制御装置２３と、を備えている。
【００７７】
制御装置２３は、使用頻度情報生成手段２１３と、改善案生成手段２３２と、表示制御手段２３３と、削除手段２３４と、優先順位変更手段２３５と、を備えて構成されている。
【００７８】
このうち使用頻度情報生成手段２１３は、無線ネットワーク制御局１０から通知される情報に基づいて、各セル毎に、周辺セルの各々の、ハンドオーバー先のセルとして使用された頻度を示す情報（本実施形態の場合、例えば、使用回数を示す情報）を生成する。
【００７９】
改善案生成手段２３２は、各セルについて設定された複数の周辺セルを、頻度情報生成手段２１３により生成された情報に基づいて使用頻度順に並び替えることにより、設定される情報の改善案を生成する。
【００８０】
表示制御手段２３３は、頻度情報生成手段２１３及び改善案生成手段２３２により生成される情報の他、無線ネットワーク制御局１０から送信されるトラフィックデータやＲＮＣ設定値を表示部２２に表示させる制御を行う。
【００８１】
保守端末装置２０においては、表示部２２に表示された情報を確認したオペレータが、ＲＮＣ設定値の変更が必要であると判断した場合には、操作部２１を操作することにより、ＲＮＣ設定値を変更することができるようになっている。
【００８２】
すなわち、保守端末装置２０の操作部２１に対し、周辺セルを削除するための操作がなされた場合には、該操作に応じて、制御装置２３の削除手段２３４が、無線ネットワーク制御局１０に対し、周辺セルを削除させるための指令を送信する。
【００８３】
また、保守端末装置２０の操作部２１に対し、周辺セルの優先順位を変更するための操作がなされた場合には、該操作に応じて、制御装置２３の優先順位変更手段２３５が、無線ネットワーク制御局１０に対し、周辺セルの優先順位を変更させるための指令を送信する。
【００８４】
なお、保守端末装置２０の制御装置２３は、例えば、各種の制御動作を行うＣＰＵと、このＣＰＵの制御用プログラム（プログラム）を記憶保持したＲＯＭと、ＣＰＵの作業領域などとして機能するＲＡＭと、を備えて構成され、そのＲＯＭに記憶されたプログラムに従って動作することにより、上記の各手段２３１、２３２、２３３、２３４、２３５として機能する。
【００８５】
セル設定情報最適化システム１００を含む移動通信システム１５０は、以上のように構成されている。
【００８６】
次に、移動通信システム１５０の動作を説明する。
【００８７】
図３は移動通信システム１５０の動作の流れを示すフローチャート、図４は、第１のセル５１についての周辺セルの配置の例を示す図、図５は第１のセル５１についての周辺セルのリストを示す周辺セルリストを示す図である。
【００８８】
先ず、図３に示すように、保守端末装置２０のオペレータが周辺セルリストを作成する（ステップＳ１）。ここで、予め各セル毎に、どのセルが周辺に位置しているかが分かっており、その情報を元に、オペレータが周辺セルリストを作成する。
【００８９】
周辺セルリストにおいては、例えば、図５に示すように、各セルのＩＤ（第１のセル５１のＩＤ＝１など）により、ハンドオーバー元のセル及び該ハンドオーバー元のセルについての周辺セルの情報を管理している。
【００９０】
すなわち、図５に示すように、例えば、第１のセル５１（ＩＤ＝１）をハンドオーバー元とした場合のハンドオーバー先の候補（周辺セル）としては、第２〜第８のセル（ＩＤ＝２〜８）を表形式データの周辺セルリストとして記憶している。
【００９１】
なお、当初の周辺セルリストにおける各周辺セルの優先順位（例えば、図５における左側ほど優先順位が高いものとする）は、オペレータが無作為に決定しておくものとする。
【００９２】
ここで、周辺セルリストには、各周辺セル（例えば、第２〜第８の各セル）毎に、ハンドオーバー先として実際に使用された回数を示す情報を記憶保持可能であるが、周辺セルリストの作成当初においては、各周辺セルの使用回数の欄は空白となっている。
【００９３】
また、実際には、第１のセル５１以外のセルについても、各々をハンドオーバー元とした場合のハンドオーバー先の候補（周辺セル）を示す周辺セルリストも作成する必要があるが、ここでは、簡単のため、図５に示すように、第１のセル５１についての周辺セルリストのみを作成したものとする。すなわち、第１のセル５１をハンドオーバー元とした場合のハンドオーバー先の候補となるセルのリストのみを作成したものとして、以下の説明を行う。
【００９４】
次に、保守端末装置２０のオペレータは、先のステップＳ１にて作成した周辺セルリストに基づいて、第１のセル５１についての周辺セル情報を無線ネットワーク制御局１０に対して設定する（ステップＳ２）。
【００９５】
ここで、第１のセル５１についての周辺セルとしては、例えば、図４に示すように、第２〜第８のセルが存在するものとする。なお、図４においては、第１〜第８のセルを、簡単のため、各々のセルを「１」〜「８」の数字のみで示している。なお、図４に示す「１」〜「８」の数字は、第１〜第８の各セルのＩＤをも示すものとする。
【００９６】
上記ステップＳ２の設定操作がなされると、無線ネットワーク制御局１０では、その設定更新手段１２５の制御下で、セル設定保存装置１４内の第１のセル５１についての周辺セル情報が更新される（ステップＳ３）。
【００９７】
続いて、無線ネットワーク制御局１０の制御装置１２は、第１の無線基地局５０経由で、第１のセル５１の範囲内に位置している移動通信端末装置７０に対し、第１のセル５１の設定、すなわち、先のステップＳ３にて更新された周辺セル情報を通知する（ステップＳ４）。
【００９８】
すると、移動通信端末装置７０は、第１のセル５１を選択する（ステップＳ５）。
【００９９】
その後、第１のセル５１の範囲内の移動通信端末装置７０が固定網または他の移動通信端末装置に対して第１の無線基地局５０経由で呼接続（第１のセル５１への呼接続）すると（ステップＳ６）、無線ネットワーク制御局１０の呼処理制御手段１２１は、呼接続処理を行う（ステップＳ７）。
【０１００】
ここでは、この呼接続処理が成功し、呼が正常に接続されたものとして、以下の説明を続ける。
【０１０１】
この呼接続処理の際に、無線ネットワーク制御局１０の呼処理制御手段１２１は、移動通信端末装置７０に対し、第１のセル５１の周辺セル情報（第３のセル６１の情報を含む）と、ハンドオーバーの閾値と、を通知することにより、周辺セルからの受信品質の測定を開始させる（周辺セル測定制御：ステップＳ８）。
【０１０２】
呼接続処理により開始された通信を行う過程で、移動通信端末装置７０が位置を移動し、第１のセル５１から第３のセル６１へ近づいたとする（ステップＳ９）。
【０１０３】
その結果、第１の無線基地局５０と第２の無線基地局６０からの共通パイロットチャンネル（ＣＰＩＣＨ：Ｃｏｍｍｏｎ  Ｐｉｌｏｔ  Ｃｈａｎｎｅｌ）の移動通信端末装置７０での受信品質（Ｅｃ／Ｎｏ）の差（第１のセル５１と第３のセル６１との受信品質の差）が、ハンドオーバー閾値を下回ると、移動通信端末装置７０は第３のセル６１の受信品質とスクランブリングコード（ＳＣ：Ｓｃｒａｍｂｌｉｎｇ  Ｃｏｄｅ）を、第１の無線基地局５０経由で無線ネットワーク制御局１０に通知（報告）する（第３のセル測定報告：ステップＳ１０）。
【０１０４】
次に、無線ネットワーク制御局１０は、移動通信端末装置７０から報告された周辺セル、すなわち、例えば、第３のセル６１を、該移動通信端末装置７０のためのハンドオーバー先のセルとして新たに追加する。
【０１０５】
次に、無線ネットワーク制御局１０は、移動通信端末装置７０が第３のセル６１と通信接続した場合に該第３のセル６１の無線リソースが過負荷にならないことを確認する。
【０１０６】
過負荷にならないと判定した場合、第３のセル６１を新たな無線回線として追加するように、第１の無線基地局５０経由で移動通信端末装置７０に対して指示する（第３のセル追加指示：ステップＳ１１）。
【０１０７】
移動通信端末装置７０は、無線ネットワーク制御局１０からの指示（第３のセル追加指示）に応じて、第３のセル６１を追加する処理を実行し、この追加処理が完了すると、第１の無線基地局５０経由で無線ネットワーク制御局１０に対し該完了した旨を通知する（第３のセル追加完了通知：ステップＳ１２）。
【０１０８】
無線ネットワーク制御局１０の情報収集手段１２３は、移動通信端末装置７０からの追加完了通知を受信すると、ハンドオーバー処理が成功したとカウントし、トラフィックデータを更新する。
【０１０９】
この更新の際に、無線ネットワーク制御局１０の情報収集手段１２３は、ハンドオーバー元のセルが何れのセル（この例では第１のセル５１）であるかを示す情報（ＳＣ）と、ハンドオーバー先のセルが何れのセル（この例では第３のセル６１）であるかを示す情報（ＳＣ）と、をデータ蓄積装置１５に記録するため、これら２つのセル（例えば、第１及び第３のセル５１，６１）の各々のＳＣを移動通信端末装置７０から収集し、データ蓄積装置１５に記録（蓄積）する。
【０１１０】
無線ネットワーク制御局１０は、このようにデータ蓄積装置１５に蓄積される情報（ＳＣの情報を含む）を、定期的（例えば１時間毎）に保守端末装置２０に対して送信（供給）する（蓄積データ供給：ステップＳ１３）。
【０１１１】
ここで、保守端末装置２０の制御装置２３では、例えば、図５に示すように、先のステップＳ１にて生成した周辺セルリストを記憶保持している。
【０１１２】
また、保守端末装置２０の制御装置２３では、各セル毎の周辺セルリストは、各セルのＩＤを検索キーとして検索されるようになっている。すなわち、例えば、第１のセル５１をハンドオーバー元とした周辺セルリストは、第１のセル５１のＩＤである「１」を検索キーとして検索される。
【０１１３】
更に、保守端末装置２０の制御装置２３では、各セルのＩＤとＳＣとの対応付けを示す情報を記憶保持している。よって、各セルのＳＣを元に、対応するＩＤを検索し、この検索されたＩＤを検索キーとして、対応する周辺セルリストを検索できる。
【０１１４】
上記のステップＳ１３により、無線ネットワーク制御局１０から定期的な情報の送信がなされると、保守端末装置２０の制御装置２３は、各セル毎に、周辺セルの使用回数（ハンドオーバー先としての使用回数）を更新するために、先ず、更新すべき周辺セルリストを検索する。すなわち、無線ネットワーク制御局１０から送信された情報に含まれるＳＣから、該ＳＣと対応するＩＤを検索し、該ＩＤと対応する周辺セルリストを検索する（周辺セルリスト検索：ステップＳ１４）。
【０１１５】
続いて、保守端末装置２の制御装置２３の使用頻度情報生成手段２３１は、無線ネットワーク制御局１０から送信された情報に基づいて、周辺セルリストを更新する（周辺セル使用回数更新：ステップＳ１５）。
【０１１６】
なお、更新すべき周辺セルリストの検索（ステップＳ１４）と、その更新（ステップＳ１５）とは、更新すべき周辺リストを全て更新し終えるまで繰り返し行う。
【０１１７】
また、保守端末装置２０の制御装置２３の優先順位変更手段２３５は、無線ネットワーク制御局１０からの定期的な情報の送信がなされるのよりも長い時間間隔で、各周辺セルリストにおける周辺セルの優先順位の変更処理を行う。すなわち、例えば、一定期間（例えば１日）毎に、各周辺セルリストにおける周辺セルの優先順位を、例えば、図６に示すように、各々の累積使用回数の高い順番に並べ替え、周辺セルリスト改善案として保守端末装置２０の制御装置２３内に記憶保持する（周辺セルリスト優先順位並べ替え：ステップＳ１６）。
【０１１８】
また、保守端末装置２０のオペレータは、周辺セルリスト改善案と、無線ネットワーク制御局１０に現在設定されている周辺セルリストと、を表示部２２に表示させて比較し、無線ネットワーク制御局１０に現在設定されている周辺セルリストを変更する必要があると判断した場合には、該現在設定されている周辺セルを変更する操作を操作部２１に対して行う。
【０１１９】
すなわち、例えば、双方のリストにおける優先順位の違いから、優先順位を変更する必要があると判断した場合には、優先順位を変更する操作を行い、使用回数が少ない周辺セルがあった場合には、その周辺セルを削除する操作を行う。
【０１２０】
優先順位を変更する操作がなされた場合には、保守端末装置２０の制御装置２３の優先順位変更手段２３５は、無線ネットワーク制御局１０に現在設定されている周辺セルリストの優先順位を変更する指令を無線ネットワーク制御局１０に対して送信する一方で、何れかの周辺セルを削除する操作がなされた場合には、保守端末装置２０の制御装置２３の削除手段２３４は、無線ネットワーク制御局１０に現在設定されている周辺セルリストにおいて、削除操作に該当する周辺セルを削除する指令を無線ネットワーク制御局１０に対して送信する（周辺セル設定変更指令：ステップＳ１７）。
【０１２１】
無線ネットワーク制御局１０の制御装置１２の設定更新手段１２５は、保守端末装置２０の優先順位変更手段２３５或いは削除手段２３４からの指令に従って、セル設定保存装置１４に保存された周辺セルリストを更新する（周辺セル設定変更：ステップＳ１８）。
【０１２２】
これにより、周辺セルが最適化される。
【０１２３】
以上のような第１の実施形態によれば、運用中の移動通信システム１５０において、無線ネットワーク制御局１０の情報収集手段１２３が周辺セルの使用実績に関する情報（ハンドオーバー元及びハンドオーバー先のセルを特定するための情報）を収集し、該収集される情報を保守端末装置２０の使用頻度情報生成手段２３１により集計するので、オペレータが全てのセル範囲で走行試験及びデータ解析作業を行わなくとも、使用頻度が高く優先順位を上げて無線ネットワーク制御局１０に設定すべき周辺セルの優先順位を高めたり、使用頻度が低く無線ネットワーク制御局１０の設定から削除しても運用に支障無い周辺セルを検索し削除したりといった複雑な周辺セル最適化作業を効率化することができ、呼損の頻度を効率的に低減させることができる。
【０１２４】
〔第２の実施形態〕
第２の実施形態では、同一の無線通信方式（例えば、第三世代の無線通信方式）のセル間でのハンドオーバーに加え、相互に異なる無線通信方式のセル間でのハンドオーバー（例えば、第三世代用のセルから第二世代用のセルへのハンドオーバー）も対象として情報を収集する例について説明する。
【０１２５】
図７は第２の実施形態に係るセル設定情報最適化システム２００を含む移動通信システム２６０を示すブロック図である。
【０１２６】
図７に示すように、移動通信システム２６０は、無線ネットワーク制御局（ＲＮＣ）２１０及び保守端末装置２０を備えて構成されたセル設定情報最適化システム２００と、このセル設定情報最適化システム２００の無線ネットワーク制御局２１０に接続された第三世代用コアネットワーク（ＣＮ）３０と、この第三世代用コアネットワーク３０を介して無線ネットワーク制御局２１０に接続された公衆網４０と、無線ネットワーク制御局２１０に接続された第三世代用無線基地局２３０と、公衆網４０に接続された第二世代用コアネットワーク２５０と、この第二世代用コアネットワーク２５０に接続された第二世代用無線基地局２４０と、この第二世代用無線基地局２４０に接続された第二世代用交換局２３０と、を備えて構成されている。
【０１２７】
第２の実施形態に係るセル設定情報最適化システム２００は、その無線ネットワーク制御局２１０が、上記の第１の実施形態に係るセル設定情報最適化システム１００における無線ネットワーク制御局１０と異なる点の他は、上記の第１の実施形態に係るセル設定情報最適化システム１００と同様に構成されている。
【０１２８】
また、図７において、上記の第１の実施形態に係る移動通信システム１５０におけるのと同様の構成要素には、同一の符号を付し、その説明を省略する。
【０１２９】
図７に示すように、本実施形態の場合の無線ネットワーク制御局２１０は、第１及び第２の２つのデータ蓄積装置２１１，２１２を備えている。
【０１３０】
第１のデータ蓄積装置２１１は、上記の第１の実施形態におけるデータ蓄積装置１５と同様のものである。すなわち、第１のデータ蓄積装置２１１は、第三世代（３Ｇ）移動体通信システム内の周辺セルどうしのハンドオーバーで使用された周辺セル情報を、制御装置１２の情報収集手段１２３（図２参照）の制御下で蓄積する。
【０１３１】
他方、第２のデータ蓄積装置２１２は、第三世代（３Ｇ）移動体通信システムから第二世代（２Ｇ）移動体通信システム（例えばＧＳＭ）へのハンドオーバーで使用された周辺セル情報を、制御装置１２の情報収集手段１２３（図２参照）の制御下で蓄積する。
【０１３２】
すなわち、本実施形態の場合の無線ネットワーク制御局２１０と、上記の第１の実施形態の場合の無線ネットワーク制御局１０との相違点は、第三世代（３Ｇ）移動体通信システムから第二世代（２Ｇ）移動体通信システムへのハンドオーバーで使用された周辺セルデータ収集用の第２のデータ蓄積装置２１２を追加した点である。
【０１３３】
なお、本実施形態の場合、無線ネットワーク制御局２１０の制御装置１２の通知手段１２４は、第１及び第２のデータ蓄積装置２１１、２１２に蓄積された情報を、それぞれ定期的に保守端末装置２０に対して通知（送信）する。
【０１３４】
次に、移動通信システム２６０の動作を説明する。
【０１３５】
図８は移動通信システム２６０の動作の流れを示すフローチャートである。
【０１３６】
先ず、図８に示すように、保守端末装置２０のオペレータが周辺セルリストを作成する（ステップＳ２１）。
【０１３７】
次に、保守端末装置２０のオペレータは、先のステップＳ２１にて作成した周辺セルリストに基づいて、第三世代用のセル（第三世代用無線基地局２２０により形成されるセル：以下、３Ｇセル）についての周辺セル情報を無線ネットワーク制御局２１０に対して設定する（ステップＳ２２）。
【０１３８】
ステップＳ２２の設定操作がなされると、無線ネットワーク制御局２１０では、その設定更新手段１２５（図２参照）の制御下で、セル設定保存装置１４内の周辺セル情報が更新される（ステップＳ２３）。
【０１３９】
続いて、無線ネットワーク制御局２１０の制御装置１２は、第三世代用無線基地局２２０経由で、３Ｇセルの範囲内に位置している移動通信端末装置に対し、その３Ｇセルの設定、すなわち、先のステップＳ２３にて更新された周辺セル情報を通知する（設定通知：ステップＳ２４）。
【０１４０】
すると、移動通信端末装置は、周辺セル情報が通知された３Ｇセルを選択する（ステップＳ２５）。
【０１４１】
その後、その３Ｇセルの範囲内の移動通信端末装置が固定網または他の移動通信端末装置に対して第三世代用無線基地局２２０経由で呼接続すると（ステップＳ２６）、無線ネットワーク制御局１０の呼処理制御手段１２１（図２参照）は、呼接続処理を行う（ステップＳ２７）。
【０１４２】
ここでは、この呼接続処理が成功し、呼が正常に接続されたものとして、以下の説明を続ける。
【０１４３】
この呼接続処理の際に、無線ネットワーク制御局２１０の呼処理制御手段１２１（図２参照）は、移動通信端末装置に対し、その３Ｇセルの周辺セル情報と、ハンドオーバーの閾値と、を通知することにより、周辺セルからの受信品質の測定を開始させる（周辺セル測定制御：ステップＳ２８）。
【０１４４】
呼接続処理により開始された通信を行う過程で、移動通信端末装置が位置を移動し、３Ｇセルから２Ｇセル（第二世代用無線基地局２４０により形成されるセル）へ近づいたとする（ステップＳ２９）。
【０１４５】
その結果、第三世代用無線基地局２２０と第二世代用無線基地局２４０からの共通パイロットチャンネル（ＣＰＩＣＨ）の移動通信端末装置での受信品質（Ｅｃ／Ｎｏ）の差が、３Ｇから２Ｇへのハンドオーバー閾値を下回ると、移動通信端末装置はその３Ｇセルの受信品質とスクランブリングコード（ＳＣ：Ｓｃｒａｍｂｌｉｎｇ  Ｃｏｄｅ）を、第１の無線基地局５０経由で無線ネットワーク制御局１０に報告する（第３のセル測定報告：ステップＳ１０）。
【０１４６】
移動端末が位置を移動し３Ｇセルから２Ｇセルへ近づき、無線基地局（３Ｇセル）からの共通パイロットチャンネル（ＣＰＩＣＨ）の移動端末での受信品質（Ｅｃ／Ｎｏ）が、３Ｇから２Ｇへのハンドオーバー閾値の設定値を下回る（３Ｇの品質が低下する）と、移動端末はその３Ｇセルの受信品質とスクランブリングコード（ＳＣ）を、第三世代用無線基地局２２０経由で無線ネットワーク制御局２１０に通知する（３Ｇセル測定報告：ステップＳ３０）。
【０１４７】
次に、無線ネットワーク制御局２１０は、第二世代用無線基地局２４０（２Ｇセル）からの共通チャンネルの移動通信端末装置での受信品質を測定するように、第三世代用無線基地局２２０（３Ｇセル）経由で移動通信端末装置へ指示する（２Ｇセル測定指示：ステップＳ３１）。
【０１４８】
第二世代用無線基地局２４０（２Ｇセル）からの共通チャンネルの移動通信端末装置での受信品質が、３Ｇから２Ｇへのハンドオーバー閾値の設定値を上回る（２Ｇの受信品質が高くなる）と、移動通信端末装置その２Ｇセルの受信電力とスクランブリングコード（ＳＣ）を、第三世代用無線基地局２２０（３Ｇセル）経由で無線ネットワーク制御局２１０へ通知する（２Ｇセル測定報告：ステップＳ３２）。
【０１４９】
次に、無線ネットワーク制御局２１０は、２Ｇセルを新たな無線回線として追加し、３Ｇセルの無線回線を削除するように、第三世代用無線基地局（３Ｇセル）経由で移動通信端末装置へ指示（ハンドオーバー指示メッセージを送信）する（ハンドオーバー指示：ステップＳ３３）。
【０１５０】
無線ネットワーク制御局２１０は、ハンドオーバー指示メッセージを送信すると、ハンドオーバー処理が成功したとカウントし、トラフィックデータを更新する。
【０１５１】
この更新の際に、ハンドオーバー元のセルが何れのセル（この場合３Ｇセル）であるかを示す情報と、ハンドオーバー先のセルが何れのセル（この場合２Ｇセル）であるかを示す情報と、を第２のデータ蓄積装置２１２に記録するため、その３Ｇセルと２Ｇセルのスクランブリングコード（ＳＣ）を、無線ネットワーク制御局２１０に蓄積する。
【０１５２】
無線ネットワーク制御局２１０は、このように第２のデータ蓄積装置２１２に蓄積される情報（ＳＣの情報を含む）を、定期的（例えば１時間毎）に保守端末装置２０に対して送信（供給）する（蓄積データ供給：ステップＳ３４）。
【０１５３】
ここで、保守端末装置２０の制御装置２３（図２参照）では、先のステップＳ２１にて生成した周辺セルリストを記憶保持している。
【０１５４】
上記のステップＳ３３により、無線ネットワーク制御局２１０から定期的な情報の送信がなされると、保守端末装置２の制御装置２３は、周辺セルの使用回数（ハンドオーバー先としての使用回数）を更新するために、先ず、更新すべき周辺セルリストを検索する。すなわち、無線ネットワーク制御局２１０から送信された情報に含まれるＳＣから、該ＳＣと対応するＩＤを検索し、該ＩＤと対応する周辺セルリストを検索する（周辺セルリスト検索：ステップＳ３５）。
【０１５５】
続いて、保守端末装置２の制御装置２３の使用頻度情報生成手段２３１（図２参照）は、無線ネットワーク制御局２１０から送信された情報に基づいて、周辺セルリストを更新する（周辺セル使用回数更新：ステップＳ３６）。
【０１５６】
また、保守端末装置２０の制御装置２３の優先順位変更手段２３５（図２参照）は、無線ネットワーク制御局２１０からの定期的な情報の送信がなされるのよりも長い時間間隔で、各周辺セルリストにおける周辺セルの優先順位の変更処理を行う。すなわち、例えば、一定期間（例えば１日）毎に、各周辺セルリストにおける周辺セルの優先順位を、各々の累積使用回数の高い順番に並べ替え、周辺セルリスト改善案として保守端末装置２０の制御装置２３内に記憶保持する（周辺セルリスト優先順位並べ替え：ステップＳ３７）。
【０１５７】
また、保守端末装置２０のオペレータは、周辺セルリスト改善案と、無線ネットワーク制御局２１０に現在設定されている周辺セルリストと、を表示部２２（図２参照）に表示させて比較し、無線ネットワーク制御局２１０に現在設定されている周辺セルリストを変更する必要があると判断した場合には、該現在設定されている周辺セルを変更する操作を操作部２１（図２参照）に対して行う。
【０１５８】
すなわち、例えば、双方のリストにおける優先順位の違いから、優先順位を変更する必要があると判断した場合には、優先順位を変更する操作を行い、使用回数が少ない周辺セルがあった場合には、その周辺セルを削除する操作を行う。
【０１５９】
優先順位を変更する操作がなされた場合には、保守端末装置２０の制御装置２３の優先順位変更手段２３５（図２参照）は、無線ネットワーク制御局２１０に現在設定されている周辺セルリストの優先順位を変更する指令を無線ネットワーク制御局２１０に対して送信する一方で、何れかの周辺セルを削除する操作がなされた場合には、保守端末装置２０の制御装置２３の削除手段２３４（図２参照）は、無線ネットワーク制御局２１０に現在設定されている周辺セルリストにおいて、削除操作に該当する周辺セルを削除する指令を無線ネットワーク制御局２１０に対して送信する（周辺セル設定変更指令：ステップＳ３８）。
【０１６０】
無線ネットワーク制御局２１０の制御装置１２の設定更新手段１２５（図２参照）は、保守端末装置２０の優先順位変更手段２３５或いは削除手段２３４からの指令に従って、セル設定保存装置１４に保存された周辺セルリストを更新する（周辺セル設定変更：ステップＳ３９）。
【０１６１】
これにより、周辺セルが最適化される。
【０１６２】
以上のように、第２の実施形態によれば、上記の第１の実施形態により得られる効果に加えて、以下の効果が得られる。
【０１６３】
すなわち、第２の実施形態の場合、データ蓄積装置の数量を増加させているので、既存の第二世代移動体通信システムのセルが第三世代移動体通信システムのセルの周辺に存在し、相互にハンドオーバーが可能な設定がされている場合、上記の第１の実施形態と同様の手法により、周辺セルの設定を効率的に改善することができる。
【０１６４】
なお、上記の第２の実施形態においては、データ蓄積装置の数量は、無線ネットワーク制御局２１０に実装可能であれば、３個以上にしても良い。
【０１６５】
また、上記の第２の実施形態では、第三世代用のセル（３Ｇセル）から第二世代用のセル（２Ｇセル）へのハンドオーバーを対象として情報を収集する例について説明したが、第二世代用のセル（２Ｇセル）から第三世代用のセル（３Ｇセル）へのハンドオーバーも対象として情報を収集するようにしても良い。
【０１６６】
また、上記の第１の実施形態では、第三世代用のセルどうしでのハンドオーバーを対象として情報を収集する例を説明したが、第二世代用のセルどうしでのハンドオーバーを対象として情報を収集するようにしても良い。
【０１６７】
また、上記の各実施形態において、移動通信端末装置としては、携帯電話機に限らず、その他の移動通信端末装置（例えば、ＰＨＳ（Ｐｅｒｓｏｎａｌ  Ｈａｎｄｙ−ｐｈｏｎｅ  Ｓｙｓｔｅｍ）を適用しても良い。
【図面の簡単な説明】
【０１６８】
【図１】第１の実施形態に係るセル設定情報最適化システムを含む通信システムを示すブロック図である。
【図２】第１の実施形態に係るセル設定情報最適化システムの詳細な構成を示すブロック図である。
【図３】第１の実施形態に係る通信システムの動作の流れを示すフローチャートである。
【図４】周辺セルの配置の例を示す図である。
【図５】周辺セルリストの例を示す図である。
【図６】周辺セルリストの改善案の例を示す図である。
【図７】第２の実施形態に係るセル設定情報最適化システムを含む通信システムを示すブロック図である。
【図８】第２の実施形態に係る通信システムの動作の流れを示すフローチャートである。
【図９】従来のセル設定情報最適化システムを含む通信システムを示すブロック図である。
【符号の説明】
【０１６９】
１００    セル設定情報最適化システム
１０      無線ネットワーク制御局
１２      制御装置
１２３    情報収集手段
１２４    通知手段
２０      保守端末装置
２３      制御装置
２３１    使用頻度情報生成手段
２３２    改善案生成手段
２３４    削除手段
２３５    優先順位変更手段
２２      表示部（表示手段）
１５０    移動通信システム
２００    セル設定情報最適化システム
２６０    移動通信システム
【図１】
2006270207.tif 000003
【図２】
2006270207.tif 000004
【図３】
2006270207.tif 000005
【図４】
2006270207.tif 000006
【図５】
2006270207.tif 000007
【図６】
2006270207.tif 000008
【図７】
2006270207.tif 000009
【図８】
2006270207.tif 000010
【図９】
2006270207.tif 000011